(57)【特許請求の範囲】
【請求項１】
エアゾール容器のステムに、エアゾール容器方向に下降して固定可能な押釦を配置し、この押釦内に、ステムと連通する第１シリンダーとこの第１シリンダーの上部に連続して第１シリンダーよりも径大な第２シリンダーを設け、この第１シリンダー内に、エアゾール内容物の噴射圧力で摺動可能なピストンの下端部を密接挿入するとともにピストンの上端部を、高粘度物を収納し上端に高粘度物の排出孔を設けた収納室に配置し、この収納室内に連通しないように配置したエアゾール内容物の噴出ノズルを、第２シリンダーに接続し、この第２シリンダー内に、エアゾール内容物の噴出圧力でピストンの下端部が移動した状態で、高粘度物が収納室から排出されるとともに下端部の外周と第２シリンダーの内周との間に、第１シリンダーと噴出ノズルを連通する連通間隔を形成する事を特徴とするエアゾール用遅延噴射装置。
【請求項２】
高粘度物は、粘度を5,000C.P.S〜2,000,000C.P.Sとした事を特徴とする請求項１のエアゾール用遅延噴射装置。
【請求項３】
押釦の固定は、押釦の内周面を内方向に突設して一対の係合突起を対角線上に形成するとともにエアゾール容器の肩カバーの外周に、エアゾール容器方向に傾斜する傾斜溝またはクランク溝を設けて一対の係合部を形成し、この係合部に押釦の係合突起を係合して、係合部の傾斜溝またはクランク溝に沿って、押釦の係合突起を係合部の下端まで摺動する事により行う事を特徴とする請求項１のエアゾール用遅延噴射装置。
【請求項４】
押釦は、第１シリンダーの下端に、ステムを密接して導入する導入部を設けた事を特徴とする請求項１のエアゾール用遅延噴射装置。
【発明の詳細な説明】
【０００１】
【産業上の利用分野】
本発明は、バルブ機構の開弁操作後に、一定の時間を経過してからエアゾール内容物の噴射が行われるようにする、エアゾール用遅延噴射装置に係るもので、殺虫剤の噴射等、人体に悪影響を及ぼすような内容物の大量噴射に用いる場合に特に有効なものである。
【０００２】
【従来の技術】
従来、密閉室内に殺虫剤等を大量に噴霧し、ゴキブリ、ダニ等の、室内の有害虫を排除するために用いられるエアゾール装置に、エアゾール内容物の連続的な噴射を可能とするとともに、このエアゾール内容物の噴射と噴射開始操作との間にタイムラグを設ける遅延噴射機構を備えたものが存在する。この遅延噴射機構により、エアゾール内容物の噴射開始操作を行った後に、この操作者が、エアゾール内容物の噴射開始前に、安全に室外に退去できるものとしている。
【０００３】
そして、このようなエアゾール内容物の遅延噴射を行う方法として、特公平８−２９７９２号に開示される如く、エアゾール内容物の流通経路に、粘性の高い高粘度物を収納した収納室を設けたものが存在する。そして、エアゾール内容物の噴射を行う際に、エアゾール装置の制御弁を開弁する事により、エアゾール内容物の噴射圧力によって、収納室内の高粘度物を排出する。この高粘度物の排出により、流通経路と噴出ノズルとを連通し、噴出ノズルからエアゾール内容物を外部に噴出可能とするものである。この高粘度物の排出に一定の時間を要する結果、エアゾール内容物の遅延噴射が可能となるものである。
【０００４】
【発明が解決しようとする課題】
しかしながら、エアゾール内容物の流通経路に高粘度物を収納する方法では、この高粘度物とエアゾール内容物とが直接に接触するため、これらが化学反応を起こしてしまう事があった。すると、高粘度物の粘度が失われて、一定時間を経過せずに排出され、遅延噴射が行われなくなったり、エアゾール内容物が変質し、良好な使用ができなくなる事があった。また、エアゾール内容物の流通経路を高粘度物が通過するので、この高粘度物により、流通経路が目詰まりする事があり、エアゾール内容物の良好な噴出が困難となる事もあった。
【０００５】
また、高粘度物を排出する際の、収納室へのエアゾール内容物の噴射は、径小な導入孔を介して行われるものである。そのため、エアゾール内容物による高粘度物への加圧面積が狭くなり、導入孔の上面に位置する高粘度物だけが強い加圧を受けて外部に排出され、収納室内の全ての高粘度物を排出する前に、エアゾール内容物の流通経路と噴出ノズルとが連通してしまう事があった。その結果、エアゾール内容物の外部への噴出が短時間で行われ、遅延噴射が機能しなくなる事があった。
【０００６】
本発明は上述の如き課題を解決しようとするものであって、高粘度物を使用してエアゾール内容物の遅延噴射を行うエアゾール装置を、高粘度物とエアゾール内容物とが直接に接触しない構造とする事により、エアゾール内容物や高粘度物の変質を防止しようとするものである。そして、エアゾール内容物の良好な使用を可能とするとともに、一定時間を経過して高粘度物を排出する事による遅延効果を確実なものとし、信頼性の高い遅延噴射機構を実現するものである。
【０００７】
【課題を解決するための手段】
本発明は、上述の如き課題を解決するため、エアゾール容器のステムに、エアゾール容器方向に下降して固定可能な押釦を配置し、この押釦内に、ステムと連通する第１シリンダーとこの第１シリンダーの上部に連続して第１シリンダーよりも径大な第２シリンダーを設け、この第１シリンダー内に、エアゾール内容物の噴射圧力で摺動可能なピストンの下端部を密接挿入するとともにピストンの上端部を、高粘度物を収納し上端に高粘度物の排出孔を設けた収納室に配置し、この収納室内に連通しないように配置したエアゾール内容物の噴出ノズルを、第２シリンダーに接続し、この第２シリンダー内に、エアゾール内容物の噴射圧力でピストンの下端部が移動した状態で、高粘度物が収納室から排出されるとともに下端部の外周と第２シリンダーの内周との間に、第１シリンダーと噴出ノズルを連通する連通間隔を形成して成るものである。
【０００８】
また、高粘度物は、粘度を5,000C.P.S〜2,000,000C.P.Sとしても良い。
【０００９】
また、押釦の固定は、押釦の内周面を内方向に突設して一対の係合突起を対角線上に形成するとともにエアゾール容器の肩カバーの外周に、エアゾール容器方向に傾斜する傾斜溝またはクランク溝を設けて一対の係合部を形成し、この係合部に押釦の係合突起を係合して、係合部の傾斜溝またはクランク溝に沿って、押釦の係合突起を係合部の下端まで摺動する事により行うものであっても良い。
【００１０】
また、押釦は、第１シリンダーの下端に、ステムを密接して導入する導入部を設けたものであっても良い。
【００１１】
【作用】
本発明は、上述の如く構成したものであるから、エアゾール内容物の噴射前は、収納室には高粘度物を収納しているので、ピストンは、上端部を収納室内に浅く挿入している。そして、ピストンは、第１シリンダー側に位置して、その下端部の外周面を、第１シリンダーの内周面に密着して静止している。この密着により、第１シリンダーと噴出ノズルとは連通せず、エアゾール内容物の誤噴射等を防いでいる。
【００１２】
そして、エアゾール内容物の噴射を行うには、バルブ機構のステムの外周に臨ませて配置した押釦を、エアゾール容器方向に下降して固定する。この押釦の下降により、押釦がステムをエアゾール容器の内部方向に押圧して、エアゾール容器のバルブ機構を開弁する。このステムの押圧は、一度押圧操作を行う事によって、以後特別な操作を行う事なく継続的に押圧され、開放状態が持続する。
【００１３】
このバルブ機構の開弁により、ステムを介してエアゾール容器内のエアゾール内容物が、押釦の第１シリンダー内に噴射される。また、第１シリンダーは、ステムを密接して導入可能な導入部を下端に設けても良い。この導入部内にステムを接続する事により、押釦によるステムの押圧を安定して行う事を可能とするとともに、この接続部分からのエアゾール内容物の漏れを防ぐものとなる。
【００１４】
そして、第１シリンダーの内周面には、ピストンの下端部の外周面が密着しているので、上述の如く第１シリンダー内に噴射されたエアゾール内容物は、第２シリンダー側には流動しないので、直ちにエアゾール内容物が外部に噴出する事はない。そして、エアゾール内容物が、噴射圧力によりピストンの下面を強く加圧するので、ピストンは、第２シリンダー方向に摺動しようとする。しかし、ピストンは、上端部を高粘度物の収納室に挿入しているので、この高粘度物の粘度による抵抗力を受け、直ちに第２シリンダー方向に摺動する事はない。
【００１５】
そして、この強い噴射圧力を受けて、ピストンは上端部で高粘度物を強く押圧する。この押圧により、高粘度物は収納室の上端の排出孔から、外部に排出されるが、この高粘度物は、強い粘性を持つので、外部に一気に噴射される事はなく、一定の時間を経過して排出されるものとなる。そして、高粘度物の排出に伴って、ピストンは上端部を収納室内に徐々に深く挿入しながら、下端部を第２シリンダー方向に摺動する。
【００１６】
このピストンの摺動も、高粘度物の排出と連動して、一定時間を経過しながら行われるものとなる。従って、高粘度物が排出されている間は、ピストンの下端部が第１シリンダー内に配置しているので、この下端部が第１シリンダーの内周に密着して、エアゾール内容物の流通経路を塞いでいる。そのため、エアゾール内容物の外部への噴出は起こらず、
押釦の操作者は、このエアゾール内容物の噴出前の一定時間内に室外に退去する事ができる。
【００１７】
その退去した後に、高粘度物が排出されて、ピストンの上端部は収納室への挿入を完了するので、ピストンの下端部の第２シリンダー側への移動も終了する。この第２シリンダーの内径は、第１シリンダーの内径よりも径大に形成しているので、ピストン下端部の外周面と第２シリンダーの内周面との間には、一定の連通間隔が形成される。この連通間隔を介して、第１シリンダーと噴出ノズルとが連通しているので、第１シリンダー内のエアゾール内容物は、この連通間隔を通過した後、噴出ノズルから室内に連続的に噴出するものとなる。また、この一定時間の経過後は、ピストンの下端部が第２シリンダー内に常に位置しているので、以後のエアゾール内容物の噴射に何ら支障を生じる事がない。
【００１８】
このように、操作者が押釦を操作して噴射開始操作を行ってから、エアゾール内容物が外部に噴出するまでの間に、高粘度物の排出によるタイムラグが生じる。そのため、操作者は、このタイムラグの間に室外に退去可能となり、室内に噴射されるエアゾール内容物と接触する危険を防止できる。
【００１９】
また、高粘度物の収納室と噴出ノズルとは、連通しないように配置しているので、高粘度物とエアゾール内容物とは直接には接触せず、互いの機能を阻害するような化学反応等は起こらないものとなる。また、このように高粘度物の排出経路とエアゾール内容物との流通経路が別個であるので、従来の如くエアゾール内容物の流通経路が、高粘度物で目詰まりしたり、エアゾール内容物と高粘度物の接触による化学変化等を生じるような不具合を解消できる。これらの効果により、エアゾール内容物の良好な噴出が可能となり、殺虫効果等の機能を十分に発揮できるとともに、高粘度物による遅延機能の信頼性を高度なものとする事が可能となる。
【００２０】
また、高粘度物は、ロジンエステル、シリコン樹脂、その他を使用できる。そして、高粘度物は、上述の如く、エアゾール内容物との接触がないので、エアゾール内容物との接触による化学変化等を考慮する必要がなく、従来に比べて多種類の高粘度物から任意に選択する事ができる。また、高粘度物は、粘度を5,000C.P.S〜2,000,000C.P.Sとすれば、未使用時にエアゾール容器を横転しても、容易にこぼれる事がないし、排出孔を目詰まりさせる事のない排出が可能となる。また、その排出も一気に噴射されずに、操作者が室内から確実に退去可能な時間を経過して行われるものとなる。また、上述の如き高粘度物は、低コストで扱い易く、操作中に誤って人体に付着等しても安全なものである。
【００２１】
また、上記エアゾール容器に於いて、押釦の固定は、適宜の従来公知の方法を用いる事ができる。そして、一つの方法として、押釦の内周面を内方向に突設して一対の係合突起を対角線上に形成するとともに、エアゾール容器の肩カバーの外周に、エアゾール容器方向に傾斜する傾斜溝またはクランク溝を設けて一対の係合部を形成して、この係合部に押釦の係合突起を係合する事により押釦を固定するものであっても良い。そして、この係合状態で、押釦を円周方向に回動すれば、押釦の係合突起が係合部の傾斜溝またはクランク溝に沿って摺動し、押釦はエアゾール容器方向に次第に下降する。この下降により、押釦はステムを押し下げるので、エアゾール内容物を噴出可能となる。また、この下降位置で、押釦を固定すれば、ステムの押圧状態が保持でき、連続開弁状態を持続する事ができる。
【００２２】
そして、上記のエアゾール容器は、内容物として、空間用殺虫剤、ゴキブリ用殺虫剤、園芸用殺虫剤、殺鼠剤、ダニ用殺虫剤、不快害虫用殺虫剤、忌避剤、空間用殺菌剤、アリ用殺虫剤、その他の殺虫剤、または、帯電防止剤、室内消臭剤、室内用芳香剤、防黴剤、その他の家庭用品に用いる事ができる。
【００２３】
【実施例】
以下、本発明の一実施例を図面に於て説明すれば、(１)はエアゾール容器で、適宜のエアゾール内容物を充填するとともに、図１に示す如く、上端にマウンテンカップ(２)を固定している。このマウンテンカップ(２)の中央部には、適宜のバルブ機構(３)を収納固定し、このバルブ機構(３)の上端に、ステムガスケット(４)を介してステム(５)を進退可能に接続し、マウンテンカップ(２)の中央部から外部に突出している。
【００２４】
また、マウンテンカップ(２)は、巻締部(６)の上端に肩カバー(７)を係合している。この肩カバー(７)の上端外周には、エアゾール容器(１)方向に下降可能な押釦(８)を、ステム(５)に接続している。この接続は、押釦(８)の内周に突設した係合突起(１０)を、図５の２点鎖線で示す如く、肩カバー(７)の外周に設けた係合部(１１)の上端に係合する事により行う。この係合部(１１)は、図５に示す如く、クランク状の溝を設ける事により形成し、この係合部(１１)に沿って押釦(８)の係合突起(１０)を摺動する事により、押釦(８)の下降を可能としている。
【００２５】
この下降位置で、押釦(８)を固定する事により、押釦(８)によるステム(５)の連続的な押圧を可能とし、連続噴射機構を構成する。この押釦(８)の固定は、本実施例では、係合部(１１)の下端に、水平方向に平行な係止部(２６)を設け、この係止部(２６)に、図５の実線で示す如く、係合突起(１０)を係合して行っている。この係合により、エアゾール内容物の噴射圧力で押釦(８)が軸方向に押圧されても、係合突起(１０)が係止部(２６)の内面に垂直に突き当たり、押し戻されるのを防止するので、下降状態を簡単に持続する事ができる。また、連続噴射機構は、上記方法の他に、押釦(８)と肩カバー(７)を螺着関係に形成する等、従来公知の任意の機構を選択して使用することが可能である。また、肩カバー(７)には、断面コ字型の蓋体(１２)を接続し、押釦(８)を保護している。
【００２６】
また、押釦(８)内に、図１に示す如く、肩カバー(７)の開口部(９)内に突出して、ステム(５)と連通する第１シリンダー(１３)を設けるとともに、この第１シリンダー(１３)の上部に連続して、第１シリンダー(１３)よりも径大な第２シリンダー(１４)を設けている。そして、第１シリンダー(１３)の下端に設けた導入部(１５)に、ステム(５)の上端を係合している。この係合により、第１シリンダー(１３)とステム(５)とを連通するとともに、押釦(８)の下降に伴って、ステム(５)をエアゾール容器(１)方向に押圧可能としている。また、導入部(１５)の内周とステム(５)の上端外周とを密着可能に形成し、係合部分からのエアゾール内容物の漏れを防いでいる。
【００２７】
また、第１シリンダー(１３)内には、エアゾール内容物の噴射圧力で、第２シリンダー(１４)方向に摺動可能なピストン(１６)を挿入し、このピストン(１６)の下端部(１７)を、第１シリンダー(１３)の内周と密接可能としている。また、第２シリンダー(１４)の上部は、高粘度物(２０)を収納する円筒状の収納室(２１)を、第２シリンダー(１４)の上端中央部に連続するように配置している。また、第２シリンダー(１４)の上端外周には、収納室(２１)と連通する事なく、エアゾール内容物の噴出路(２７)を形成し、この噴出路(２７)の先端に、噴出ノズル(２４)を接続している。
【００２８】
そして、ピストン(１６)は、下端部(１７)を第１シリンダー(１３)の最下端に配置した状態で、収納室(２１)内の下端に、ピストン(１６)の上端部(１８)を密接して挿入が可能な寸法の取り合いで形成する。従って、第２シリンダー(１４)に接続する噴出ノズル(２４)と収納室(２１)とは、ピストン(１６)の上端部(１８)で遮断され、連通しないものとなる。また、収納室(２１)の上端には、高粘度物(２０)の排出孔(２２)を設けるとともに、この排出孔(２２)の上端外周に臨ませて、高粘度物(２０)の回収が可能なカップ状の回収部(２５)を、押釦(８)に凹設している。
【００２９】
また、第２シリンダー(１４)は、第１シリンダー(１３)よりも径大に形成している。そのため、エアゾール内容物の噴射圧力でピストン(１６)の下端部(１７)が、第２シリンダー(１４)内に移動した状態で、この第２シリンダー(１４)の内周とピストン(１６)の下端部(１７)の外周面との間に、エアゾール内容物の連通間隔(２３)を形成可能となる。すると、この連通間隔(２３)及び噴出路(２７)を介して、第１シリンダー(１３)と、押釦(８)の上端に設けた噴射ノズル(２４)とが連通する。また、この第２シリンダー(１４)側へのピストン(１６)の摺動に伴って、収納室(２１)内にピストン(１６)の上端部(１８)を深く挿入するものとなる。この挿入により、上端部(１８)は、収納室(２１)の高粘度物(２０)を、排出孔(２２)を介して回収部(２５)側に押し出し可能としている。
【００３０】
また、この高粘度物(２０)は、ロジンエステル等の特殊樹脂、シリコン樹脂等を使用している。尚、本発明では、エアゾール内容物の噴出ノズル(２４)と高粘度物(２０)の収納室(２１)とが連通しないので、エアゾール内容物と高粘度物(２０)とが直接に接触する事はない。そのため、従来方法の如く、エアゾール内容物と化学反応を生じないような高粘度物(２０)を限定して選択する必要がなく、幅広い種類の中から、コストや使用目的に応じて任意の高粘度物(２０)を選択する事ができる。但し、この高粘度物(２０)は、外部に排出された際に、人体に付着しても害を与えないものを使用する。
【００３１】
また、高粘度物(２０)は、粘度を5,000C.P.S〜2,000,000C.P.Sとする事により、排出孔(２２)を目詰まりさせる事のない、確実な排出を可能とする。この排出も、高粘度物(２０)の粘性や分量に応じて、一定の時間を経過しながら行われるものとなる。また、粘度が5,000C.P.Sよりも低いと、未使用時にエアゾール容器(１)の横転等により、高粘度物(２０)が排出孔(２２)から簡単に排出されて、遅延機能が働かなくなる事がある。また、使用時に、高粘度物(２０)が排出孔(２２)から外部に短時間で排出され、操作者が室外に退去可能な充分なタイムラグを設ける事ができなくなる可能性がある。また、粘度が2,000,000C.P.Sよりも高いと、排出孔(２２)が目詰まりして、高粘度物(２０)を排出できなくなる事がある。すると、ピストン(１６)が第２シリンダー(１４)方向に摺動不能となるので、第１シリンダー(１３)と噴出ノズル(２４)とが連通せず、エアゾール内容物の噴出を行えなくなる可能性がある。
【００３２】
上述の如く構成したものに於て、エアゾール内容物の噴出前は、収納室(２１)に高粘度物(２０)を収納しているので、収納室(２１)へのピストン(１６)の上端部(１８)の挿入量は少ないものとなる。そして、ピストン(１６)は、図１に示す如く、下端部(１７)を第１シリンダー(１３)側に配置し、この下端部(１７)の外周面を、第１シリンダー(１３)の内周面に密接する事により、エアゾール内容物の流通経路を閉鎖している。
【００３３】
そして、エアゾール内容物の噴出を行う場合には、肩カバー(７)から蓋体(１２)を外した後、押釦(８)を保持して、円周方向に回動する。この回動により、押釦(８)の係合突起(１０)が、肩カバー(７)に設けた係合部(１１)に沿って摺動する。この係合部(１１)は、エアゾール容器(１)方向にクランク状に傾斜しているので、この摺動により、押釦(８)はエアゾール容器(１)方向に下降するものとなる。そして、係合部(１１)の下端の係止部(２６)に、係合突起(１０)を係合する事により、押釦(８)を下降状態で固定するとともに、戻りを防止する事ができる。
【００３４】
この押釦(８)の下降により、ステム(５)がエアゾール容器(１)方向に押圧されるので、図２に示す如く、ステムガスケット(４)が弾性変形してバルブ機構(３)を開弁する。このバルブ機構(３)は、押釦(８)を下降状態で固定しているので、連続開弁状態が保たれるものとなる。
【００３５】
そして、バルブ機構(３)の開弁により、エアゾール容器(１)内のエアゾール内容物は、ステム(５)を介して第１シリンダー(１３)内に噴射される。この第１シリンダー(１３)の導入部(１５)内に、ステム(５)を密接して係合しているので、この係合部分からエアゾール内容物が漏れる事がなく、第１シリンダー(１３)内に確実に噴射される。また、第１シリンダー(１３)内には、ピストン(１６)の下端部(１７)を密接して配置する事により、第２シリンダー(１４)へのエアゾール内容物の流動を防止している。そのため、第１シリンダー(１３)内のエアゾール内容物が、直ちに噴出ノズル(２４)から噴出する事はない。そして、エアゾール内容物は、その噴射圧力でピストン(１６)を強く加圧する。この加圧により、ピストン(１６)は、第２シリンダー(１４)方向に摺動しようとするが、ピストン(１６)は、上端部(１８)を高粘度物(２０)の収納室(２１)内に挿入しているので、この高粘度物(２０)の粘度による抵抗力を受け、直ちには摺動する事はない。
【００３６】
そして、更なるエアゾール内容物の噴射圧力を受けて、ピストン(１６)は、上端部(１８)で収納室(２１)内の高粘度物(２０)を強く押圧する。この押圧により、高粘度物(２０)は、図２に示す如く、収納室(２１)上端の排出孔(２２)から回収部(２５)内に排出される。この排出は、一気に行われる事はなく、高粘度物(２０)の粘度や分量に応じて、一定の時間を経過しながら行われる。尚、高粘度物(２０)は、回収部(２５)に滞留するため、高粘度物(２０)が噴出ノズル(２４)側に流動して、これを詰まらせたり、床等に落下する等の不具合を確実に防止する事ができる。
【００３７】
この高粘度物(２０)の排出に伴って、ピストン(１６)は、上端部(１８)を収納室(２１)内に徐々に深く挿入しながら、第２シリンダー(１４)側に摺動する。そして、高粘度物(２０)を排出している間は、ピストン(１６)は、下端部(１７)の外周面を第１シリンダー(１３)の内周面に密接して摺動するので、エアゾール内容物の噴出を防止している。
【００３８】
そして、操作者の室外退去後に、高粘度物(２０)が排出されて、ピストン(１６)の上端部(１８)が、収納室(２１)への挿入を完了すると、ピストン(１６)の下端部(１７)は、第２シリンダー(１４)内への移動を終了する。すると、第２シリンダー(１４)の内周面とピストン(１６)の下端部(１７)の外周面との間に、図３、図４に示す如く、連通間隔(２３)が形成されるので、第１シリンダー(１３)と、第２シリンダー(１４)の上端に接続する噴出ノズル(２４)とが連通する。この連通により、図４の矢印で示す如く、ステム(５)から第１シリンダー(１３)内に噴射されたエアゾール内容物は、第２シリンダー(１４)内の連通間隔(２３)及び噴出路(２７)を通過した後、噴出ノズル(２４)から、室内に連続的に噴出するものとなる。このように、噴射開始操作を行ってから、エアゾール内容物が室内に噴出するまでの間に、高粘度物(２０)の排出によるタイムラグが生じるので、操作者は、エアゾール内容物の噴射開始前に室外に退去する事ができ、安全性が保証される。
【００３９】
また、エアゾール内容物の噴出ノズル(２４)と高粘度物(２０)の収納室(２１)とが連通していないので、噴出ノズル(２４)が高粘度物(２０)で目詰まりする事はなく、良好な噴出が可能となる。また、エアゾール内容物と高粘度物(２０)とが直接に接触する事がないので、エアゾール内容物の変質が起こらず、良好な使用が可能となるとともに、高粘度物(２０)の変質も防いで、遅延噴射機能を確実に働かせる事ができる。
【００４０】
また、本発明の遅延噴射機構を備えたエアゾール容器に、殺虫剤、家庭用品を充填した場合の、各々のエアゾール内容物の処方例を以下に示す。
【００４１】
殺虫剤として、空間用殺虫剤、ゴキブリ用殺虫剤１及び２、園芸用殺虫剤、不快害虫用殺虫剤の処方例を以下に示す。
【００４２】
0003904313.tif 000002
【００４３】
0003904313.tif 000003
【００４４】
0003904313.tif 000004
【００４５】
0003904313.tif 000005
【００４６】
0003904313.tif 000006
【００４７】
家庭用品として、防黴剤の処方例を以下に示す。
【００４８】
0003904313.tif 000007
【００４９】
【発明の効果】
本発明は上述の如く構成したものであるから、エアゾール内容物の連続噴射に於て、噴射開始操作を行ってから実際にエアゾール内容物が噴射されるまでの間にタイムラグを設ける事ができ、このタイムラグによる遅延時間内に操作者が安全に室外に退避する事ができる。
【００５０】
また、遅延噴射に使用する高粘度物と、エアゾール内容物とが直接には接触しないから、エアゾール内容物の流通経路が高粘度物で目詰まりしたり、エアゾール内容物と高粘度物の接触による化学変化等を生じる事はないものとなる。そのため、エアゾール内容物の品質を保持して良好な使用が可能となる。更に、高粘度物の変質も防ぐので、遅延噴射機構が効果的に機能し、信頼性の高い製品を廉価に得る事が可能となる。
【図面の簡単な説明】
【図１】本発明の第１実施例を示す断面図。
【図２】図１の主要部分の拡大断面図。
【図３】第１実施例に於ける、エアゾール内容物の連続噴射状態を示す断面図。
【図４】図２の主要部分の拡大断面図。
【図５】肩カバーの係合部と、押釦の係合突起との係合状態を示す側面図。
【符号の説明】
１  エアゾール容器
５  ステム
８  押釦
１０  係合突起
１２  係合部
１３  第１シリンダー
１４  第２シリンダー
１６  ピストン
１７  下端部
１８  上端部
２０  高粘度物
２１  収納室
２３  連通間隔
２４  噴出ノズル
【図１】
0003904313.tif 000008
【図２】
0003904313.tif 000009
【図３】
0003904313.tif 000010
【図４】
0003904313.tif 000011
【図５】
0003904313.tif 000012